(57)【要約】【課題】  外部から印刷ジョブを受信した場合に、画像形成装置内に一旦蓄積し、ユーザーの操作によって蓄積された印刷ジョブを印刷する画像形成装置を提供する。【解決手段】  外部から印刷ジョブを受信する受信手段と、印刷ジョブを蓄積する記憶手段と、ユーザーの操作と表示を行う操作パネルと、記録媒体に印刷を行う印刷部と、を備え、印刷ジョブの属性に応じて記憶手段へ記憶し、その属性に応じて印刷ジョブを表示し、操作パネルからの入力に応じて印刷する印刷ジョブを選択する画像形成装置。【選択図】  図１
2017001358.tif 000002
【特許請求の範囲】
【請求項１】
入力された画像データを記録媒体に印刷する印刷部と、
前記画像データと前記画像データの属性情報を記憶する画像データ記憶手段と、
前記画像データ記憶手段に記憶されている前記画像データの一覧を表示する表示手段と、
前記表示手段に表示されている前記一覧から前記画像データを選択する選択手段と、
前記選択手段によって選択された画像データに対して少なくとも印刷処理を含む複数の処理の中から何れかの処理を指示する指示手段と、
を有する画像形成装置において、
ユーザーを認証するためのユーザー名と該ユーザー名に対応するパスワードとを含む認証基礎情報を記憶する認証情報記憶手段と、
ユーザーにパスワードを含む認証情報を入力させる入力手段と、
前記入力手段によって入力された認証情報と前記認証情報記憶手段に記憶されている前記認証基礎情報を照合する照合手段と、を有し、
前記属性情報はユーザー名と秘密であるか否かを示す第１判断情報とを含み、
前記入力手段から認証情報が入力された場合には、該入力された前記認証情報を前記照合手段によって前記認証情報記憶手段に記憶されている前記認証基礎情報と照合し、前記照合手段によって前記入力手段から入力された前記認証情報が照合できた場合には、前記画像データの前記属性情報に前記入力手段によって入力された前記認証情報に対応する前記認証基礎情報の前記ユーザー名を有する前記画像データを抽出し、該画像データの一覧を前記表示手段に表示し、
前記照合手段によって照合でき無ない場合には、前記属性情報に秘密でないことを示す前記第１判断情報が含まれる前記画像データを抽出し、該画像データの一覧を前記表示手段に表示し、
前記表示部に表示されている前記一覧の中から前記画像データを前記選択手段によって選択し、該選択された前記画像データを前記印刷部によって印刷することを特徴とする画像形成装置。
【請求項２】
前記指示手段は、前記選択手段によって選択された前記画像データを前記印刷部によって印刷させるプリント指示手段を含み、前記プリント指示手段は、前記表示手段の所定のエリアに連動する入力によって動作することを特徴とする請求項１に記載の画像形成装置。
【請求項３】
前記所定のエリアは、前記表示手段に表示されている前記画像データの一覧の各前記画像データに対応して表示されているアイコンであることを特徴とする請求項２に記載の画像形成装置。
【請求項４】
前記プリント指示手段の前記所定のエリアに連動した入力の回数に応じて、前記画像データを前記印刷部によって印刷することを特徴とする請求項２または請求項３に記載の画像形成装置。
【請求項５】
前記選択手段によって前記属性情報の前記ユーザー名が同一の前記画像データを選択した場合に、前記プリント指示手段によって前記選択された前記ユーザー名が同一の前記画像データを前記印刷部によって順次印刷されることを特徴とする請求項２に記載の画像形成装置。
【請求項６】
前記指示手段は、前記選択手段によって選択された前記画像データの印刷部数を変更させる部数変更手段を含み、前記部数変更手段は、前記表示手段に表示される前記部数変更手段を示すアイコンに連動する入力によって動作することを特徴とする請求項１から請求項５の何れか１項に記載の画像形成装置。
【発明の詳細な説明】
【技術分野】
【０００１】
本発明は、記録媒体に画像を記録する画像形成装置に関する。
【背景技術】
【０００２】
電子写真式の複写機やプリンターなどの画像形成装置は広く一般に普及している。これらの画像形成装置は、操作パネルから各種設定などの入力を行い、目的に合わせて機能するものがある。また、この様な画像形成装置はインターネットなどのネットワークに接続され、遠隔地にあるコンピューターから画像データを受信し、その画像データを印刷することも可能である。
【０００３】
また、ユーザーに対応した印刷データをプリンターに蓄積できるものがある。例えば、特開２００２−３３４１５０号公報に記載の印刷制御装置は、ユーザーのＩＤとパスワードを入力して認証することで、印刷データの持ち主であるユーザーが特定でき、認証が成功した場合に、その印刷データに対する操作ができる。認証が成功すると、ユーザーに対応する印刷データのリストが表示され、選択が可能となる。選択された印刷データはプリント、キャンセルなどの操作が可能となる。
【先行技術文献】
【特許文献】
【０００４】
【特許文献１】特開２００２−３３４１５０号公報
【発明の概要】
【発明が解決しようとする課題】
【０００５】
従来の装置は、印刷データにユーザーを特定するための情報が付加されて保存されている。ユーザーのＩＤとパスワードによる認証が成功した場合だけ、そのユーザーに対応する印刷データが表示され、また実行できる。しかし、ユーザー自身がプリンター操作できない場合に他人に印刷を依頼する必要がある。その場合に、他人に自分のＩＤとパスワードを知らせる必要がある。他人に印刷データのリストを表示させ、印刷を実行させる場合に、他人に見せたくない印刷データまで見られてしまう恐れがある。このようなセキュリティーの問題があった。
【課題を解決するための手段】
【０００６】
本願発明は、外部から受信したユーザーの情報が付加された印刷データを保存し、保存されている印刷データを、ユーザーの操作によって入力された情報に基づいて選択し、印刷する画像形成装置を提供する。
【０００７】
本発明の画像形成装置は、入力された画像データを記録媒体に印刷する印刷部と、前記画像データと前記画像データの属性情報を記憶する画像データ記憶手段と、前記画像データ記憶手段に記憶されている前記画像データの一覧を表示する表示手段と、前記表示手段に表示されている前記一覧から前記画像データを選択する選択手段と、前記選択手段によって選択された画像データに対して少なくとも印刷処理を含む複数の処理の中から何れかの処理を指示する指示手段と、を有する画像形成装置において、ユーザーを認証するためのユーザー名と該ユーザー名に対応するパスワードとを含む認証基礎情報を記憶する認証情報記憶手段と、ユーザーにパスワードを含む認証情報を入力させる入力手段と、前記入力手段によって入力された認証情報と前記認証情報記憶手段に記憶されている前記認証基礎情報を照合する照合手段と、を有し、前記属性情報はユーザー名と秘密であるか否かを示す第１判断情報とを含み、前記入力手段から認証情報が入力された場合には、該入力された前記認証情報を前記照合手段によって前記認証情報記憶手段に記憶されている前記認証基礎情報と照合し、前記照合手段によって前記入力手段から入力された前記認証情報が照合できた場合には、前記画像データの前記属性情報に前記入力手段によって入力された前記認証情報に対応する前記認証基礎情報の前記ユーザー名を有する前記画像データを抽出し、該画像データの一覧を前記表示手段に表示し、前記照合手段によって照合でき無ない場合には、前記属性情報に秘密でないことを示す前記第１判断情報が含まれる前記画像データを抽出し、該画像データの一覧を前記表示手段に表示し、前記表示部に表示されている前記一覧の中から前記画像データを前記選択手段によって選択し、該選択された前記画像データを前記印刷部によって印刷することを特徴とする。
【発明の効果】
【０００８】
本発明によれば、画像形成装置の状態を確認しながら印刷することができる。
【図面の簡単な説明】
【０００９】
【図１】図１は、画像形成装置のブロック図である。
【図２】図２は、印刷ジョブ情報の例の図である。
【図３】図３は、操作パネルの表示の第１の例の図である。
【図４】図４は、操作パネルの表示の第２の例の図である。
【図５】図５は、操作パネルの表示の第３の例の図である。
【図６】図６は、動作を説明する第１のフローチャートである。
【図７】図７は、動作を説明する第２のフローチャートである。
【図８】図８は、動作を説明する第３のフローチャートである。
【図９】図９は、操作パネルの表示の第４の例の図である。
【図１０】図１０は、画像形成装置の概要を説明する図である。
【発明を実施するための形態】
【００１０】
実施形態を、以下に図面を用いて説明する。
図１は、本発明の実施形態のブロック図である。画像形成装置１は、ネットワークに接続されたホストコンピューター２と接続されている。画像形成装置１は、記録媒体に画像を記録する印刷部９を備えている。例えば、電子写真方式やインクジェット方式などの方式で記録媒体に記録が可能である。そして、画像形成装置１はホストコンピューター２から送られてくる画像データすなわち印刷ジョブを、紙やプラスチックフィルムに印刷する。
【００１１】
画像形成装置１は外部機器とのインタフェースであるＩ／Ｆ３を備え、インターネットなどのネットワークを介してホストコンピューター２に接続されている。制御部４は装置全体の制御を行う。制御部４はＲＯＭ６、ＲＡＭ７またはＨＤＤ８内に記憶されているプログラムおよび設定値に従って動作する。ＲＯＭ６は不揮発性の記憶手段であり、プログラムや各種設定値などが格納されている。ＲＡＭ７は制御部４の演算の一時的なデータ保存や、ワークエリア、各種設定値の一時的な保存などをする記憶手段である。ＨＤＤ８はハードディスク装置である。ＨＤＤ８には、ホストコンピューター２から送られてきた画像データ、その画像データを印刷部９で印刷するために変換したビットマップデータ、プログラム、各種設定値、一時的なデータ記憶などをする記憶手段として使われる。操作パネル５は、表示を行うＬＣＤと入力を行うキーからなる入出力手段である。操作パネル５は、画面上の所定位置に触れることで入力できるタッチパネルでもよい。スキャナー１０は、原稿を読み取り、電子データに変換する読み取り装置である。読み取った電子データは、ＨＤＤ８に記憶され、その電子データに基づいて印刷部９によって印刷することができる。また、読み取った電子データそのものやＰＤＦやＴＩＦＦなどの形式に変換したものをＨＤＤ８に保存することや、ホストコンピューター２に送信することも可能である。
【００１２】
図２は、印刷ジョブ情報の例の図である。図２では、５つのジョブの例を示している。印刷する画像データ、すなわちジョブデータは、ＨＤＤ８に格納される。ジョブデータは、外部のホストコンピューター２からの受信あるいはスキャナー１０からの入力によって取得できる。このジョブデータには少なくとも、印刷するユーザー名と印刷する画像データが含まれる。また、ジョブデータのリストが操作パネル５に表示される。ジョブデータの表示には、ユーザーが予め決められた特定の操作をした場合のみ表示される秘密表示と、ユーザーまたは他人が特定の操作をしなくとも表示できる普通表示の２モードがある。
【００１３】
秘密表示をする場合は、ユーザー認証が必要である。ユーザーのＩＤとパスワードを入力し、予め記憶されているユーザー情報と比較する。そして、一致した場合に認証されたことになり、認証されたユーザーの印刷するジョブが表示される。普通表示の場合は、一致しなかった場合に、または操作者の認証の処理そのものをしなかった場合に、誰でも秘密にするもの以外のジョブの一覧が表示できる。すなわち、ＲＯＭ６またはＨＤＤ８にはユーザーの認証のための基礎情報であるユーザー名とパスワードが記憶されている。操作パネル５から、パスワードとユーザーＩＤなどの認証情報を入力する。さらに制御部４は基礎情報と認証情報を照合する。制御部４が、照合を行う照合手段となり、結果が、一致すれば、一致したユーザーＩＤに対応する属性が秘密のジョブを表示できる。また、パスワードだけを入力し、そのパスワードに一致する基礎情報中のパスワードを検索し、そのパスワードに対応するユーザーＩＤに対応する属性が秘密のジョブを表示してもよい。このようにすれば、パスワードだけの入力で認証の処理が可能となる。すなわち、照合手段によって照合の結果が一致する場合は認証が成功したとし、不一致ならば認証が失敗したことになる。
【００１４】
この秘密表示にするか普通表示のモードにするかは、ジョブデータに付加されているファイルの属性情報で判別できる。図２の中のＢＯＸ種７０の欄に対応する属性情報で判別する。普通に対応する情報である場合は、誰でも操作、表示ができるジョブデータであることを示し、秘密に対応する情報である場合は、認証されたユーザーだけが操作、表示できるジョブデータであることを示す。
【００１５】
他の属性情報として、ユーザー名７１の欄があり、これは、ファイルの所有者を特定するための情報である。この属性情報のユーザー名と認証されたユーザーが一致する場合に、ＢＯＸ種が秘密であるジョブデータを操作、表示することができる。
【００１６】
画像データ７２の欄はそのジョブを印刷するための画像データの内容である。他に、ページ数７３と部数７４とファイル名７５の欄がある。ページ数は、印刷するジョブのページ数を示している。また、部数は、印刷する部数を示している。例えば、ジョブが多くなった場合は困難になる場合があるが、ジョブ数が一覧表示画面に入る程度、例えば１０個以下などの少ない場合は、印刷を指示したユーザーならば、ファイル名が表示されなくとも、ユーザーが印刷の指示を出した時間、順番、ユーザー名とページ数などから印刷する対象のジョブデータを特定し、認識することができると思われる。また、一覧のジョブデータを指定すればそのファイル名が表示される。ファイル名もデータも属性情報として備えている。
【００１７】
図３は、操作パネルの表示の第１の例の図である。操作パネルには、ジョブデータの属性情報であるＢＯＸ種に応じて、表示画面５の中に普通ＢＯＸ１２と秘密ＢＯＸ１３の２つのタブがあり、選択すると表示内容エリア１４の表示がそれに伴い切替わる。表示内容エリア１４には、リスト、ファイル名、操作ボタンなどが表示される。
【００１８】
普通ＢＯＸ１２が選択されると、ジョブデータの属性情報の一つであるＢＯＸ種が、普通を示す情報であるものが抽出され、そのリストが表示される。リスト表示エリア１１には、ユーザー名、ページ数、部数が表示される。普通マーク２５は、そのジョブデータのＢＯＸ種が普通であることを示すマークである。矩形のマークが使用されている。このようなＢＯＸ種を示すマークがジョブに対応して表示される。
【００１９】
使用者は、表示されているリストの中から印刷するジョブを選択することができる。選択されているジョブには選択枠１５が表示され、選択されたジョブであることを示す。選択されたジョブは、ファイル名エリア１６にファイル名が表示される。印刷しようとするもののファイル名が確認できる。さらに、部数ボタン１８をタッチすると、選択されたジョブの部数を増減させる部数変更エリア２１がポップアップされて表示される。増加ボタン２３と減少ボタン２４が表示される。増加ボタン２３に１回タッチすると部数表示２２の部数が１増加し、リスト表示エリア１１の部数も１増加する。減少ボタン２４に１回タッチすると部数表示２２の部数が１減少し、リスト表示エリア１１の部数も１減少する。このように、選択されたジョブの部数を簡単に増減できる。ここでは、部数について変更した場合を説明したが、例えば、印刷する拡縮を変える場合や、カラーと白黒を変える場合や、回転させて印刷する場合などの印刷プロパティーを変更するようにしてもよい。
【００２０】
プリントボタン１７は、それにタッチすると、選択枠１５が表示されているリストすなわち選択されているジョブの印刷が実行される。戻るボタン１９は、処理をひとつ前の状態に戻すボタンである。削除ボタン２０は、選択枠１５で示されたジョブを削除する。また、プリントボタン１７を連続して複数回タッチした場合に、そのタッチした回数分の印刷をするようにしてもよい。例えば、１部から２部にしたい場合に、いちいち部数ボタン１８を使用して部数変更しなくても、プリントボタン１７を２回タッチするだけで２部印刷ができ、かなり手間が省ける。また、印刷されたジョブは、削除ボタン２０による削除か、例えば１０分など、所定の時間が経過するまで、削除されないことが好ましい。これは、印刷後に再び印刷したい場合があるからである。
【００２１】
図４は、操作パネルの表示の第２の例の図である。秘密ＢＯＸ１３のタブが選択された場合の表示である。ここで、内容を表示する前に、ユーザーの認証が必要となる。認証に成功したユーザーと同じユーザー名を有するジョブのリストが表示される。
【００２２】
ここでは、ユーザーＢが認証に成功して、ユーザーＢのジョブが表示されている。表示される内容は、普通ＢＯＸ１２のタブでの表示とほぼ同様である。秘密マーク３０が秘密であることを示すマークとして表示される。ここでは、星状のマークである。選択枠１５で選択されたジョブのファイル名がファイル名エリア３１に表示される。選択されたジョブに対してプリントボタンをタッチすれば、印刷が実行される。部数ボタンは部数の変更ができる。戻るボタンは、ひとつ前の処理の状態に戻る。削除ボタンは、選択されたジョブを削除できる。これらのボタンは先に説明した普通ＢＯＸ１２の場合と同様である。
【００２３】
図５は、操作パネルの表示の第３の例の図である。秘密ＢＯＸ１３のタブが選択された場合の表示である。この表示には、秘密表示に加えて普通ＢＯＸ１２タブが指定された場合のリストがさらに表示される。普通ＢＯＸ１２は、操作者を特定せずに操作が可能である。一方秘密ＢＯＸ１３は、認証により特定されたユーザーのみに操作が可能である。認証された特定のユーザーが、普通ＢＯＸ１２で表示されるものの内容を見たり、操作したりしても何ら問題ない。そこで、秘密ＢＯＸ１３では、属性情報のＢＯＸ種が秘密であるものだけでなく普通のものも表示する。
【００２４】
図５では、ユーザーＢが認証された場合のリストの表示である。また、ジョブが秘密か秘密でないかを判断するのは、リスト中のマークである。秘密マーク３２が表示されたジョブは、ユーザーＢの秘密のジョブを示している。ユーザーＡの秘密のジョブは表示されない。
【００２５】
普通マーク３３と普通マーク３４はＢＯＸ種が普通である場合のジョブを示している。この場合に、認証されたユーザーはユーザーＢであるが、ユーザーＢのジョブだけではなく他のユーザーのジョブも表示される。普通マーク３３の付いたジョブは、ユーザーがユーザーＡのジョブである。普通マーク３５の付いたジョブは、ユーザーＢのジョブである。ファイル名エリア３５には、選択枠１５が示しているジョブのファイル名が表示される。選択枠１５が指示しているジョブを、プリントボタンをタッチすることで印刷できる。他のボタンも先の説明と同様である。
【００２６】
また、例えば、プリントボタンをタッチして図中で選択されているファイル名がｄｄｄの印刷を行った場合に、このファイルだけでは無く、ユーザーＢのページ数５のジョブも続けて行うことができる。これは、同じユーザー名を有するジョブを、一度の操作で印刷できるので、同じような操作の重複を無くし、省力化が可能となる。プリントボタンをタッチした時に、選択されているジョブのユーザー名と同じ他のジョブを抽出し、それらのジョブを順次印刷している。
【００２７】
図６は、動作を説明する第１のフローチャートである。操作パネル５の操作に関しての動作についてフローチャートを用いて説明する。ジョブのリストが表示されている状態での動作である。
【００２８】
まず、操作者がタッチパネル５に触れ、何かしらの操作を行った場合に、ステップＳ１では、その操作が、リストに表示されているジョブの選択、すなわち、印刷するファイルの選択か否かを判断し、ジョブを選択する操作であった場合はステップＳ２へ、違う場合にはステップＳ３へ移行する。
【００２９】
ステップＳ２では、リストからジョブが選択され、選択されたジョブに対して選択枠１５を表示するとともに、選択されたジョブのファイル名を表示する。
ステップＳ３では、操作が、プリントボタン１７をタッチし、印刷の実行をさせるものであるか否かを判断し、印刷をするための操作である場合はステップＳ４へ、違う場合はステップＳ５へ移行する。
【００３０】
ステップＳ４では、選択されているジョブの画像データを印刷部９に送信し、印刷の実行をする。
ステップＳ５では、操作が、部数ボタン１８をタッチし、部数の変更をさせるものであるか否かを判断し、部数を変更させるための操作である場合はステップＳ６へ、違う場合はステップＳＳ７へ移行する。
【００３１】
ステップＳ６では、部数の変更をするポップアップ画面を表示する。
ステップＳ７では、操作が、削除ボタン２０をタッチし、指定したジョブすなわちリスト中のファイルを削除するものであるか否かを判断し、削除するための操作である場合は、ステップＳ８へ、違う場合はステップＳ９へ移行する。
【００３２】
ステップＳ８では、選択されているジョブを削除する。すなわち、メモリーから削除する。
ステップＳ９では、操作が、戻るボタン１９をタッチし、処理の状態をひとつ前の状態に移行させるためのものであるか否かを判断し、ひとつ前の状態にするための操作である場合は、ステップＳ１０へ、違う場合はステップＳ１１へ移行する。
【００３３】
ステップＳ１０では、状態をひとつ前の状態に遷移させる。
ステップＳ１１では、操作が、部数をＵＰさせる増加ボタン２３をタッチし、選択されているジョブの印刷部数を増やすためのものであるか否かを判断し、部数を増加させるものであれば、ステップＳ１２へ、違う場合はステップＳ１３へ移行する。
【００３４】
ステップＳ１２では、選択されているジョブの印刷部数を１増やす。
ステップＳ１３では、操作が、部数をＤＯＷＮさせる減少ボタン２４をタッチし、選択されているジョブの印刷部数を減らすためのものであるか否かを判断し、部数を減らすものであれば、ステップＳ１４へ、違う場合はステップＳ１５へ移行する。
【００３５】
ステップＳ１４では、選択されているジョブの印刷部数を１減らす。
ステップＳ１５では、上述されていない操作を分ける処理と、その分けた処理に対応する処理を行う。例えば、普通と秘密ＢＯＸの切り替えの処理などである。
このよに、タッチパネル５での各操作に応じて、どの様な操作をされたかを判断し、判断によって分けた後に、対応する処理を実行する。
【００３６】
図７は、動作を説明する第２のフローチャートである。プリントボタン１７がタッチされた場合の動作についてフローチャートを用いて説明する。
ステップＳ２０では、プリントボタン１７がタッチされたか否かを判断する。タッチされていればステップＳ２１に移行する。ステップＳ２１では、プリントボタン１７が何回押されたかカウントし、次のステップに移行する。
【００３７】
ステップＳ２２では、プリントボタン１７が押された回数の分の部数を、選択されているジョブの印刷部数に加え、次のステップに移行する。
ステップＳ２３では、選択されているジョブを、印刷部９によって、指定されている印刷部数分の印刷を実行する。
【００３８】
図８は、動作を説明する第３のフローチャートである。或るジョブを印刷中に、別のジョブが画像形成装置１に入力された場合の処理を説明する。
先ず、ステップＳ３０では、印刷中か否かを判断する。印刷中ならばステップＳ３１へ、そうでなければステップＳ３２へ移行する。
【００３９】
ステップＳ３１では、入力されたジョブの属性情報のなかのＢＯＸ種の情報が秘密か普通かを判断し、秘密であれば、ステップＳ３５へ移行し、そうでなければステップＳ３３へ移行する。
ステップＳ３５では、入力された新たなジョブを蓄積する。
【００４０】
ステップＳ３３では、入力された新たなジョブのユーザー名が、現在印刷中のジョブのユーザー名と同じか否かを判断する。同じならばステップＳ３４へ、違えばステップＳ３２へ移行する。
ステップＳ３４では、現在プリントされているジョブの後に、連続して新たに入力されたジョブを印刷する。何も操作しなくても連続で印刷が行われる。
【００４１】
ステップＳ３２では、入力された新たなジョブを蓄積する。
ここでは、新たに入力されたジョブが秘密の場合は蓄積しているが、同じユーザーのものならば、続けて印刷を行うような処理をすることもできる。どちらか選択できるようにしてもよい。
【００４２】
図９は、操作パネルの表示の第４の例の図である。ユーザー毎の表示をしている場合の例を示す。普通ＢＯＸ１２のタブが選択されている場合に、ユーザー毎の表示を行うモードがある。このとき、蓄えられているジョブのユーザー毎の表示をおこなう。例えば、ユーザーＡは蓄えているジョブの数、すなわち印刷できるジョブの数が２である。ユーザーＢは蓄えられているジョブの数が３である。ダイレクトプリントアイコン３６が各ユーザーの列の末尾に表示されている。このダイレクトプリントアイコン３６は、印刷するジョブを選択しなくても、このボタンを押せば、ユーザーＡの２つのジョブが印刷される。ユーザーＢの３つのジョブを印刷したければ、ユーザーＢの列のダイレクトプリントアイコン３７をタッチすればよい。いちいち選択しなくて一度に印刷できるので手間が省ける。印刷中のジョブを確認したい場合は、印刷が実行されているファイル名が、ファイル名エリア１６に表示される。このようにタッチパネルを用いると、アイコンをタッチする入力により処理を実行できる。
【００４３】
このモードはユーザー名の表示部分をタッチすると、表示モードの切り替えが行われる。秘密ＢＯＸ１３のタブにて秘密のジョブが表示されている場合はであってもの、ユーザーは１つであるが、まとめて印刷をしてもよいが、好ましくは、秘密と普通が混在する場合があるので、ジョブを選択して印刷をした方が良い。
【００４４】
また、ダイレクトプリントアイコンについては、ユーザー毎に一括してプリントする場合について説明したが、ジョブ毎にダイレクトプリントアイコンを表示され、これにタッチすることでそのジョブを印刷実行させるようにすることもできる。
【００４５】
図１０は、画像形成装置の概要を説明する図である。画像形成装置１は、ジョブデータすなわち画像データに基づいて記録媒体にトナーを付着させ、定着させることで記録媒体上に画像を記録する装置である。記録媒体には、紙、薄いシート状の樹脂などが用いられる。
装置上部には原稿を読み取る読み取り部、装置中部には記録媒体に画像を記録する記録部、装置下部には給紙部が備わっている。
【００４６】
この給紙部は、紙管に紙が巻き回されたロール紙４０を収納することができる。ロール紙４０の両端にフランジ４１が固定され、そのフランジ４１がコロ４２、４３上に回転可能に載置されている。ロール紙４０は、第１ローラ４４によって引き出される。また、引き出された用紙４５は、第１ローラ４４によって画像形成装置１の記録部へ供給される。第１ローラ４４は、駆動ローラとピンチローラで構成されている。ピンチローラは駆動ローラに回転可能に押圧され、駆動ローラの回転に伴って回転する。ロール紙４０は、その２つのローラで挟まれ、駆動ローラの回転に伴って搬送される。
【００４７】
用紙４５は搬送路４６に沿って搬送される。搬送路４６に沿って搬送される先にカッター装置４７が備わる。搬送された用紙はカッター装置４７によってカットされる。カッター装置４７の先に、用紙を搬送する第２ローラ４８が備わる。さらに、用紙は搬送路４９に沿って搬送され、搬送路４９の先に第３ローラ５０が備わる。第２ローラ４８および第３ローラ５０は第１ローラ４４と同様に駆動ローラとピンチローラを備え、用紙を挟持しながら搬送する。
【００４８】
画像形成装置１の記録部では、除電器５１によって感光体ドラム５２の表面電位のリフレッシュが行われ、帯電器５３による電荷のチャージが行われた後、パソコンなどのホストコンピューターから送り込まれたデータが図示しないＲＩＰコントローラ基板によってラスタライズされ、ＬＥＤヘッド５４によって感光体ドラム５２の表面上にイメージが反転された静電潜像の形で描かれる。この静電潜像は現像器５５の現像スリーブ５６から供給されるトナーによって現像され、感光体ドラム５２の表面上の静電潜像部分にトナー像が形成される。
【００４９】
給紙部から送り出され、記録部に到達した用紙４５は、感光体ドラム５２に静電力によって張り付き、背面から転写ローラ５７の転写バイアスおよび圧を受けて感光体ドラム５２上のトナーが用紙に転写される。トナーが転写された用紙４５は、分離部５８の分離バイアスを受けることによって感光体ドラム５２から引き剥がされる。トナーを用紙４５に転写した後の感光体ドラム５２の表面には、未転写のトナーがわずかに残存する。そのため、感光体ドラム５２に残存するトナーは、クリーナ５９に設けられたクリーナーブレードによって掻き取られ、クリーナ１２の内部へと収容される。クリーナーブレードは感光体ドラム５２に適正な圧力で当接するゴム製のブレードである。
【００５０】
感光体ドラム５２からトナーが転写された用紙４５は搬送ベルト６０によって搬送される。搬送ベルト６０の内部には用紙吸着用のファンが備わり、表面の吸引孔によって用紙４５が吸着されながら搬送される。用紙４５は、搬送を補助する役割を持った搬送ベルト６０を経た後、定着器６１へと搬送される。用紙４５に転写されたトナー像は、定着器６１の高温の定着ローラ６２と加圧ローラ６３の間を通過することで熱と圧力を受けて用紙に定着され、排出手段６４を構成する排紙ローラと従動ローラを介して装置外部へと排出される。
【００５１】
読み取り部は、原稿を搬送する原稿搬送ローラ６５によって矢印方向に搬送される。搬送された原稿は読み取りセンサ６６によって電子データ化すなわち画像データが生成される。この電子データ化された原稿はＨＤＤ８に記憶される。また、電子データ化された原稿は印刷部９にて用紙４５に画像を記録することもできる。
【産業上の利用可能性】
【００５２】
本発明は、インクジェットプリンター、電子写真式プリンター、複写機などに適用できる。
【符号の説明】
【００５３】
１  画像形成装置
２  ホストコンピューター
３  Ｉ／Ｆ
４  制御部
５  操作パネル
６  ＲＯＭ
７  ＲＡＭ
８  ＨＤＤ
９  印刷部
１０  スキャナー
１１  リスト表示エリア
１２  普通ＢＯＸ
１３  秘密ＢＯＸ
１４  表示内容エリア
１５  選択枠
１６  ファイル名エリア
１７  プリントボタン
【図１】
2017001358.tif 000003
【図２】
2017001358.tif 000004
【図３】
2017001358.tif 000005
【図４】
2017001358.tif 000006
【図５】
2017001358.tif 000007
【図６】
2017001358.tif 000008
【図７】
2017001358.tif 000009
【図８】
2017001358.tif 000010
【図９】
2017001358.tif 000011
【図１０】
2017001358.tif 000012